(57)【要約】【課題】粘着性を付与し、貼り合わせ工程においてフレキシブル基板を良好に仮固定でき、かつ硬化終了後にも基板の接着を維持でき、さらに、ＡＣＳとして導電性粒子を保持することにより十分な導通が得られるフレキシブルパネル用接着剤組成物を提供する。【解決手段】熱硬化型のエポキシ系樹脂およびゴム性を有するエラストマーを含む接着剤組成物であって、少なくとも一方に基板間ギャップ確保用部材が配置された２枚の可とう性基板を、基板間ギャップをもって貼り合わせた構造のフレキシブルパネルにおいて、２枚の可とう性基板間のギャップによる隙間をシールするシール剤として用いる。【選択図】図１
2010065096.tif 000002
【特許請求の範囲】
【請求項１】
熱硬化型のエポキシ系樹脂およびゴム性を有するエラストマーを含む接着剤組成物であって、少なくとも一方に基板間ギャップ確保用部材が配置された２枚の可とう性基板を、基板間ギャップをもって貼り合わせた構造のフレキシブルパネルにおいて、２枚の可とう性基板間のギャップによる隙間をシールするシール剤として用いることを特徴とするフレキシブルパネル用接着剤組成物。
【請求項２】
少なくとも一方に基板間ギャップ確保用部材が配置された２枚の電極付き可とう性基板を、基板間ギャップをもって貼り合わせた構造のフレキシブルパネルにおいて、２枚の可とう性基板に形成され互いに対向したそれぞれの電極間に配置して、導電性粒子を介して対向電極間の電気的接続を行う異方導電性シール剤として用いることを特徴とする請求項１に記載のフレキシブルパネル用接着剤組成物。
【請求項３】
ゴム性のエラストマーの平均分子量が１０，０００から１、０００，０００までの範囲にあり、室温で液状あるいは固体であることを特徴とする請求項１または２に記載のフレキシブルパネル用接着剤組成物。
【請求項４】
エポキシ系樹脂がビスフェノール型の化合物、あるいはそれらと単官能のエポキシ化合物の混合物であることを特徴とする請求項１〜３のいずれか１項に記載のフレキシブルパネル用接着剤組成物。
【請求項５】
エポキシ系樹脂に単官能のエポキシ化合物を含有することを特徴とする請求項１〜４のいずれか１項に記載のフレキシブルパネル用接着剤組成物。
【発明の詳細な説明】
【技術分野】
【０００１】
本発明は、熱硬化型のエポキシ系樹脂およびゴム性を有するエラストマーを含む接着剤組成物であって、少なくとも一方に基板間ギャップ確保用部材が配置された２枚の可とう性基板を、基板間ギャップをもって貼り合わせた構造のフレキシブルパネル用接着剤組成物に関するものである。
【背景技術】
【０００２】
ディスプレイパネルの製造では一般的に、基板の固定に接着剤が用いられている。接着剤は様々な有機高分子材料から構成されるが、その中でも特にエポキシ化合物は、化学的安定性、絶縁性、耐熱性、寸法安定性、力学的強度にバランスよく優れており、パネル接着剤や封止（シール）剤用途として広く利用されている。工業的にエポキシ化合物を用いる場合、工程での化学的安定性が重要なポイントであり、工程移動中での反応を抑え、接着工程においてのみ反応を進行させるために、潜在性硬化剤（アミンアダクトなど）を含有させ、１液性接着剤としての形態をとることが多い（例えば、特許文献１、２参照）。
【０００３】
さらに１液性エポキシ化合物をよりディスプレイパネルの製造工程へ適用させるため、アクリルなど他の反応種と混合した２段硬化型のエポキシ材料が開発されている（例えば、特許文献３、４参照）。１段階目の反応で半硬化状態を形成させることで、基板圧着時のシール剤パンクの防止や基板の仮固定を可能にしている。
【０００４】
また最近、次世代のディスプレイの候補として、可とう性（＝フレキシブル性）を示す樹脂基板から構成される表示パネルの開発が盛んに行われている。特に、電源を切断しても表示が維持されるいわゆる電子ペーパー機能を示す表示素子（例えば、電気泳動方式、帯電粒子気体中移動方式、コレステリック液晶方式）において、フレキシブル性をパネルに付与する開発が注目を集めている。電子ペーパー開発においては基板だけでなく、隔壁や接着剤、異方導電性シール（Anisotropic Conductive Seal:ACS）といった各種部材に対してもパネルのフレキシブル化に対応した材料が必要とされている。
【０００５】
【特許文献１】特開平６−４９１７６号公報
【特許文献２】特開２０００−３４７２０３号公報
【特許文献３】特開平５−２９５０８７号公報
【特許文献４】特許第３１６２１７９号
【発明の開示】
【発明が解決しようとする課題】
【０００６】
図５（ａ）、（ｂ）はそれぞれフレキシブルなディスプレイパネルの製造方法の一例を説明するための図である。図５（ａ）、（ｂ）に示す例では、所定の基板間ギャップを確保するための隔壁５４を形成した可とう性を有する背面基板５１と透明で可とう性を有する前面基板５２との間に、表示媒体（ここでは白色表示媒体５３Ｗと黒色表示媒体５３Ｂ）を封入し、背面基板５１と前面基板５２とを所定の基板間ギャップを確保するための隔壁５４を介して貼り合わせている。図５（ａ）はプレス機による貼り合わせの例を示し、図５（ｂ）はローラ５６を用いたラミネートによる貼り合わせの例を示している。このとき、フレキシブルパネル形成領域の周囲においてパネル基板間ギャップによる隙間をシールするシール剤および隔壁５４の上部に接着剤５５を配置して、背面基板５１と前面基板５２とを貼り合わせている。この貼り合わせ工程では、背面基板５１と前面基板５２とを接着剤５５の粘着性により仮固定して位置決めし、その後接着剤５５を硬化させて、背面基板５１と前面基板５２との貼り合わせを行う必要があるため、接着剤５５の粘着性による仮固定が重要である。
【０００７】
図６（ａ）〜（ｃ）はそれぞれ本発明を異方導電性シール剤（ＡＣＳ）として適用したディスプレイパネルの一例を説明するための図である。まず、図６（ａ）に示すように、透明な樹脂フィルム基板等からなるフレキシブルな前面基板５２の少なくとも表示エリア６１に対応する位置に、酸化インジウム錫（ＩＴＯ）などの透明導電性膜からなる第１のライン電極６２をパターニングして形成する。次に、図６（ｂ）に示すように、フレキシブルな背面基板５１上に、いずれも金属膜から構成されている、第２のライン電極６３、第２の引き出し線６４および第１の引き出し線６５を、パターニングして形成する。
【０００８】
この際、第２のライン電極６３は、背面基板５１上の少なくとも表示エリア６１に対応する位置に、前面基板５２と背面基板５１とを重ね合わせたとき、第１のライン電極６２とほぼ直交するよう形成されている。また、第２の引き出し線６４は、背面基板５１上の表示エリア６１外の位置に、第２のライン電極６３と接続して、パネルの一端面（駆動用ＩＣと接続される部分となる）まで引き回して形成されている。さらに、第１の引き出し線６５は、背面基板５１の表示エリア６１外の位置に、前面基板５２と背面基板５１とを重ね合わせたときに、第１のライン電極６２の端部と第１の引き出し線６５の端部とが上下に重なるように、パネルの一端面から形成されている。
【０００９】
最後に、図６（ｃ）に示すように、導電性粒子を含み異方導電性を有するシール剤６６を、表示エリア６１の外周であって表示エリア６１を囲むよう、そして、第１のライン電極６２の端部と第１の引き出し線６５の端部とが重なり合う部分（図中その一部に○を付す）に配置されるよう、設けた状態で、前面基板５２と背面基板５とを貼り合わせることでフレキシブルディスプレイパネルを得ている。ここでは、シール剤のバインダーとして本発明の不歴エイブルパネル用接着剤組成物を適用している。
【００１０】
ここにおける材料面での問題点として、従来公知の接着剤を使用した場合、以下のような解決すべき問題が残っていた。（１）汎用のエポキシ化合物では、硬化前の状態が粘度の低い液体であるため、フレキシブル基板を貼り合わせた後に仮固定ができず、フレキシブル基板のわずかな変形に伴い、配置した接着剤の形状が破壊されてしまう。（２）液晶ガラスパネルに適用されているような二段階硬化型の接着剤組成物では、仮固定時の粘着性が十分でない、仮固定時における接着剤組成物の弾性率が高すぎてフレキシブル基板を仮固定できない、などの問題がある。
【００１１】
本発明の目的は上述した問題点を解消して、接着剤に粘着性を付与し、パネル基板の貼り合わせ工程においてフレキシブル基板を良好に仮固定でき、かつ硬化終了後にも基板の接着を維持できるフレキシブルパネル用接着剤組成物を提供しようとするものである。
【課題を解決するための手段】
【００１２】
本発明の第１発明に係るフレキシブルパネル用接着剤組成物は、熱硬化型のエポキシ系樹脂およびゴム性を有するエラストマーを含む接着剤組成物であって、少なくとも一方に基板間ギャップ確保用部材が配置された２枚の可とう性基板を、基板間ギャップをもって貼り合わせた構造のフレキシブルパネルにおいて、２枚の可とう性基板間のギャップによる隙間をシールするシール剤として用いることを特徴とするものである。
【００１３】
また、本発明の第２発明に係るフレキシブルパネル用接着剤組成物は、少なくとも一方に基板間ギャップ確保用部材が配置された２枚の電極付き可とう性基板を、基板間ギャップをもって貼り合わせた構造のフレキシブルパネルにおいて、２枚の可とう性基板に形成され、互いに対向したそれぞれの電極間に配置して、導電性粒子を介して対向電極間の電気的接続を行う異方導電性シール剤として用いることを特徴とするものである。
【００１４】
さらに、本発明の第１発明および第２発明に係るフレキシブルパネル用接着剤組成物の好適例としては、ゴム性のエラストマーの平均分子量が１０，０００から１、０００，０００までの範囲にあり、室温で液状あるいは固体であること、エポキシ系樹脂がビスフェノール型の化合物、あるいはそれらと単官能のエポキシ化合物の混合物であること、エポキシ系樹脂に単官能のエポキシ化合物を含有すること、がある。
【発明の効果】
【００１５】
本発明では、フレキシブルディスプレイパネル用のシール剤、貼り合わせ接着剤、あるいはＡＣＳ用の接着剤組成物として、エポキシ系配合物にゴム性のエラストマーを配合することにより、粘着性を付与し、フレキシブルパネル基板の貼り合わせ工程においてフレキシブル基板を良好に仮固定でき、かつ硬化終了後にもフレキシブル基板を接着させ、さらにＡＣＳとしては導電粒子を保持することにより十分な導通が得られるエポキシ系配合物を新たに発案、開発し、フレキシブルパネル用の接着剤組成物を得た。
【発明を実施するための最良の形態】
【００１６】
まず、本発明のフレキシブルパネル用接着剤組成物の対象となる導電性粒子を含んだ粒子群を表示媒体とするフレキシブルディスプレイパネルの基本的な構成について説明する。前記フレキシブルディスプレイパネルでは、対向する２枚の可とう性を有する基板間に封入した表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、表示情報を書き換える時あるいは表示した情報を継続して表示する時の安定性を維持できるように、ディスプレイパネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１７】
本発明の対象となるディスプレイパネルの例を、図１（ａ）、（ｂ）乃至図４（ａ）〜（ｄ）に基づき説明する。
【００１８】
図１（ａ）、（ｂ）に示す例では、光学的反射率と帯電性とを有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂとの２種類の表示媒体を示す）を、隔壁４で形成された各セルにおいて、フレキシブル基板１に設けた電極５（ＴＦＴ付き画素電極）とフレキシブル基板２に設けた電極６（共通電極）との間に電圧を印加することにより発生する電界に応じて、基板１、２と垂直に移動させる。そして、図１（ａ）に示すように白色表示媒体３Ｗを観察者に視認させて白色表示を、あるいは、図１（ｂ）に示すように黒色表示媒体３Ｂを観察者に視認させて黒色表示を、白黒のドットでマトリックス表示している。なお、図１（ａ）、（ｂ）において、手前にある隔壁は省略している。電極は、基板の外側に設けても、基板の内側に設けても、基板内部に埋め込むように設けてもよい。
【００１９】
図２（ａ）、（ｂ）に示す例では、光学的反射率と帯電性とを有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂとの２種類の表示媒体を示す）を、隔壁４で形成された各セルにおいて、フレキシブル基板１に設けた電極５（ライン電極）とフレキシブル基板２に設けた電極６（ライン電極）とが対向直交して形成する画素電極対間に電圧を印加することにより発生する電界に応じて、基板１、２と垂直に移動させる。そして、図２（ａ）に示すように白色表示媒体３Ｗを観察者に視認させて白色表示を、あるいは、図２（ｂ）に示すように黒色表示媒体３Ｂを観察者に視認させて黒色表示を、白黒のドットでマトリックス表示している。なお、図２（ａ）、（ｂ）において、手前にある隔壁は省略している。電極は、基板の外側に設けても、基板の内側に設けても、基板内部に埋め込むように設けてもよい。
【００２０】
図３（ａ）、（ｂ）に示す例では、３個のセルで表示単位（１ドット）を構成するカラー表示の例を示している。図３（ａ）、（ｂ）に示す例では、表示媒体としてはセル２１−１〜２１−３の全てに白色表示媒体３Ｗと黒色表示媒体３Ｂとを充填し、第１のセル２１−１の観察者側に赤色カラーフィルター２２Ｒを設け、第２のセル２１−２の観察者側に緑色カラーフィルター２２Ｇを設け、第３のセル２１−３の観察者側に青色カラーフィルター２２Ｂを設け、第１のセル２１−１、第２のセル２１−２および第３のセル２１−３の３個のセルで表示単位（１ドット）を構成している。本例では、カラー表示を行う際に、図３（ａ）に示すように、観察者側に、第１セル２１−１〜第３のセル２１−３の全てにおいて白色表示媒体３Ｗを移動することで、観察者に対し白色ドット表示を行うか、あるいは、図３（ｂ）に示すように、観察者側に、第１セル２１−１〜第３のセル２１−３の全てにおいて黒色表示媒体３Ｂを移動することで、観察者に対し黒色ドット表示を行っている。なお、図３（ａ）、（ｂ）において、手前にある隔壁は省略している。各セルにおける表示媒体の移動のさせ方で、多色カラーのドットマトリックス表示が行える。
【００２１】
図４（ａ）〜（ｄ）に示す例では、まず、図４（ａ）、（ｃ）に示すように、光学的反射率と帯電性とを有する粒子を含んだ粒子群として構成した、互いに光学的反射率および帯電特性が異なる表示媒体を少なくとも２種類（ここでは帯電性白色粒子３Ｗａを含んだ粒子群として構成した白色表示媒体３Ｗと帯電性黒色粒子３Ｂａを含んだ粒子群として構成した黒色表示媒体３Ｂを示す）基板間に封入し、隔壁４で形成された各セルにおいて、基板１の外側に設けた外部電界形成手段１１と基板２の外側に設けた外部電界形成手段１２との間に電圧を印加することにより発生する電界に応じて、基板１、２と垂直に移動させる。そして、図４（ｂ）に示すように白色表示媒体３Ｗを観察者に視認させて白色ドット表示を行うか、あるいは、図４（ｄ）に示すように黒色表示媒体３Ｂを観察者に視認させて黒色ドット表示を行っている。なお、図４（ａ）〜（ｄ）において、手前にある隔壁は省略している。また、基板１の内側には導電膜１３を設けるとともに、基板２の内側には透明な導電膜１４を設けている。基板の内側に設ける導電膜１３は、透明であっても、透明でなくても構わない。
【００２２】
本発明のフレキシブルパネル用接着剤組成物の特徴は、２枚の可とう性基板を貼り合わせる際に用いることが可能な、熱硬化型のエポキシ系樹脂およびゴム性のエラストマーからなる接着剤組成物である点にある。具体的には、（１）フレキシブルパネル基板を貼り合わせる接着剤として、および／または、（２）フレキシブルパネル基板を重ねた後のパネル基板用ギャップの隙間をシールするためにパネルの周囲に配置するシール剤として、および／または、（３）フレキシブルディスプレイパネルのＡＣＳとして適用し、２枚の可とう性基板間を重ね合わせて仮固定した後、プレスあるいはラミネートにより硬化させて貼り合わせて固定している。
【００２３】
エポキシ系化合物としては、ビスフェノールＡの他に、ビスフェノールＡの誘導体、ビスフェノールＦおよびそれらの誘導体、さらに、脂環型、ビフェニル型、グリシジルエステル型を用いることができる。フレキシブルパネルにおいては曲げやはがれの力に対して接着力が発揮されるようにエポキシ系配合物の硬化後の硬さを適度に低減させる必要がある。今回発明者らの検討では、単官能のエポキシ系化合物、例えばフェニルグリシジルエーテル、ｔ−ブトキシフェニルグリシジルエーテルのような化合物が適していることがわかった。
【００２４】
エポキシ化合物を硬化させる潜在性硬化剤としては、アミンアダクトやジシアンアミド、ジヒドラジト化合物、イミダゾール類の塩基などを、カチオン系硬化剤では、芳香族スルホニウムなどを用いることができる。
【００２５】
ゴム性の高分子としては、平均分子量が１０，０００から１，０００，０００までの範囲のものを使用することが好ましく、ポリブタジエン、ポリイソプレン／ポリブタジエン、ポリスチレン／ポリイソプレン、および、それらの誘導体あるいは水素添加型を用いることができる。本発明におけるゴム性エラストマーに関して、それらが低分子量で室温で液状の場合は、そのままエポキシ系配合物に添加して用いることができ、高分子量で室温で固体の場合は、溶剤によりエポキシ系配合物に混合させる必要があり、塗布後溶剤が揮発した後に貼り合せを行う。前者の液状エラストマーの場合は、系が無溶剤になる利点があるが熱硬化後の硬化物がもろくなりやすくなる欠点がある。これに対し、後者の固体エラストマーの場合は、溶剤を必要とするが、硬化後の硬化物はより強靭で高い接着力を示す。溶剤としては、トルエン、アセトン、酢酸エチルなど汎用の有機溶剤が用いられるが、潜在性硬化剤を過度に溶解させないために、溶剤の極性が低いほうが望ましい。
【実施例】
【００２６】
以下、実際の例について説明する。
【００２７】
本発明の実施例として、配合と特性評価結果を以下の表１に示す。エポキシ化合物としてはビスフェノールＡ（式１中、１）およびビスフェノールＦ（式１中、２）を用いた。単官能エポキシ化合物としては、フェニルグリシジルエーテル３を、ｔ−Ｂｕフェニルグリシジルエーテル４を、ゴム状エラストマーとしては、５に示すようなカルボキシル基を含有する合成ゴム（三井・デュポンポリケミカル社製Vamac）およびブチルゴム６を用いた。エラストマー５および６は室温で固体である（両者とも重量平均分子量約５０万）。今回は、エラストマー５および６を溶解させるために、溶剤としてトルエンを使用した。潜在性硬化剤としては、味の素ファインテクノ製のアミンアダクトPN23を用いた。フィラーとしては、東ソー・シリカ社製のNipsilを用いた。フィルム基板は、厚さ１２５μｍのポリエチレンテレフタレート（ＰＥＴ）フィルムを用いた。
【００２８】
【化１】
2010065096.tif 000003
【００２９】
作製した配合物の性能評価に関しては、以下の二つを行った。
・評価項目（１）ラミネート特性について：
まず、ディスペンサーにより配合物を塗布し、室温で６時間程放置し溶剤（トルエン）を乾燥させた。次いで、塗布したフィルム基板ともう一枚のフィルム基板とをラミネーターにより貼り合せ、外観を観察して適用性を判断した。
・評価項目（２）：ＡＣＳバインダーへの適用性について
図５に示すフィルム基板を用いて帯電性粒子を含んだ粒子群として構成した表示媒体を充填したパネルを作製して点灯テストを行い、導通不良の有無を調べた。
結果を以下の表１に示す。
【００３０】
【表１】
2010065096.tif 000004
【００３１】
まず、実施例１に示す配合系、ビスフェノールＡ（１）／フェニルグリシジルエーテル（３）／ゴム性エラストマー（５）／トルエン／アミンアダクト／シリカでは、塗布-溶剤乾燥後に適度な粘着性が付与されており、ラミネート後の外観が変化なく良好に保たれていた。またＡＣＳバインダーとして用いたパネルにおいても導通不良は発生しなかった。エポキシ化合物、単官能エポキシ化合物、およびゴム性エラストマーをそれぞれビスフェノールＦ（２）、ｔ−Ｂｕフェニルグリシジルエーテル（４）、およびブチルゴム（６）に変えた配合においても同様の結果が得られた（実施例２、３、４）。
【００３２】
これに対し、エポキシ系配合物のみからなる比較例１では、ラミネート後の形状が保たれずに一部はがれが生じた。また、ＡＣＳバインダーとして用いたパネルにおいて導通不良が発生した。比較例２の市販品のエポキシ系シール剤では、比較例１と同様にラミネート後の形状が保たれずに一部はがれが生じた。また、ＡＣＳバインダーとして用いたパネルにおいても導通不良が発生した。
【産業上の利用可能性】
【００３３】
本発明のフレキシブルパネル用接着剤組成物はフレキシブルなパネル構造体に好適に用いることができる。特に、パネル構造体の基板間空間に表示媒体を配置して画像等の情報表示を行う液晶方式表示パネル、エレクトロクロミック表示素子、電気泳動方式表示パネルや電子粉流体方式表示パネルをフレキシブルに構成し、本発明のフレキシブルパネル用接着剤組成物を用いて製造したフレキシブルディスプレイパネルは、可とう性を有し、薄型でもあるので、ノートパソコン、電子手帳、ＰＤＡ(Personal Digital Assistants)と呼ばれる携帯型情報機器、携帯電話、ハンディターミナル等のモバイル機器の表示部、電子書籍、電子新聞、電子マニュアル（取扱説明書）等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に用いる情報表示用パネルとして好適である。他に、リライタブルペーパー（外部電界形成手段を用いて書換えできる）としても好適に用いられる。
【００３４】
なお、本発明のフレキシブル基板用接着剤組成物を用いて製造したフレキシブルディスプレイパネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式や、外部電界を用いた外部電界駆動方式など、種々のタイプの駆動方式を適用できる。
【図面の簡単な説明】
【００３５】
【図１】（ａ）、（ｂ）はそれぞれ本発明の対象となるディスプレイ用パネルの一例を示す図である。
【図２】（ａ）、（ｂ）はそれぞれ本発明の対象となるディスプレイ用パネルの他の例を示す図である。
【図３】（ａ）、（ｂ）はそれぞれ本発明の対象となるディスプレイ用パネルのさらに他の例を示す図である。
【図４】（ａ）〜（ｄ）はそれぞれ本発明の対象となる情報表示用パネルのさらに他の例を示す図である。
【図５】（ａ）、（ｂ）はそれぞれ従来のパネルの製造方法の一例を説明するための図である。
【図６】（ａ）〜（ｃ）はそれぞれ本発明の接着剤組成物を用いたＡＣＳを配置した情報表示用パネルの一例を説明するための図である。
【符号の説明】
【００３６】
１、２  基板
３Ｗ  白色表示媒体
３Ｗａ  負帯電性白色粒子
３Ｂ  黒色表示媒体
３Ｂａ  正帯電性黒色粒子
４  隔壁（または基板間ギャップ確保用部材）
５、６  電極
１１、１２  外部電界形成手段
１３、１４  導電膜
２１−１  第１のセル
２１−２  第２のセル
２１−３  第３のセル
２２Ｒ  赤色カラーフィルター
２２Ｇ  緑色カラーフィルター
２２ＢＬ  青色カラーフィルター
【図１】
2010065096.tif 000005
【図２】
2010065096.tif 000006
【図３】
2010065096.tif 000007
【図４】
2010065096.tif 000008
【図５】
2010065096.tif 000009
【図６】
2010065096.tif 000010